(57)【要約】      （修正有）【課題】液体を効率良くミスト化できるミスト発生器を提供する。【解決手段】遠心力により円盤状の回転板８から液体を放散し、この放散した液体を円環形状で同心円状に配設された複数の環状衝突壁１３に段階的に衝突させることにより、衝突回数を増やしてミスト化を促進し効率良くミストを発生させる。さらに環状衝突壁１３を回転板８とともに回転させることにより、環状衝突壁１３に衝突した液体に更に遠心力を加えて、径外方向に放散した液体が次の環状衝突壁１３に衝突する際の衝突エネルギーが増加してミスト化を促進する。そして複数の環状衝突壁１３および回転板８の各々を連結する連結リブを放射状に設け、環状衝突壁１３に衝突して飛散した液体に、更に回転している連結リブを衝突させてミスト化を促進する。【選択図】図１
2009078245.tif 000002
【特許請求の範囲】
【請求項１】
遠心力によって液体を放散する回転板の外周側に複数の環状衝突壁を同心円状に配し、前記回転板から放散された液体を前記複数の環状衝突壁に段階的に衝突させることにより液体をミスト化することを特徴とするミスト発生器。
【請求項２】
環状衝突壁が回転板とともに回転することを特徴とする、請求項１記載のミスト発生器。
【請求項３】
複数の環状衝突壁の各々を連結する連結リブを放射状に複数備えたことを特徴とする、請求項１記載のミスト発生器。
【請求項４】
複数の環状衝突壁および回転板の各々を連結する連結リブを放射状に複数備えたことを特徴とする、請求項２記載のミスト発生器。
【請求項５】
連結リブの本数が径外方向に向かうに従って多くなるように構成したことを特徴とする、請求項３または４記載のミスト発生器。
【請求項６】
連結リブを半径方向において一直線上にならないように配設したことを特徴とする、請求項３〜５のいずれかに記載のミスト発生器。
【請求項７】
連結リブを回転方向から見て凹凸状に形成したことを特徴とする、請求項３〜６のいずれかに記載のミスト発生器。
【請求項８】
連結リブを回転方向から見て鋸歯状に形成したことを特徴とする、請求項３〜６のいずれかに記載のミスト発生器。
【請求項９】
連結リブを回転方向から見て櫛歯状に形成したことを特徴とする、請求項３〜６のいずれかに記載のミスト発生器。
【請求項１０】
連結リブを回転方向から見て稲妻形状に形成したことを特徴とする、請求項３〜６のいずれかに記載のミスト発生器。
【請求項１１】
連結リブを回転方向から見て波形状に形成したことを特徴とする、請求項３〜６のいずれかに記載のミスト発生器。
【請求項１２】
環状衝突壁および回転板を軸方向に複数備えたことを特徴とする、請求項１〜１１のいずれかに記載のミスト発生器。
【請求項１３】
環状衝突壁を半径方向から見て凹凸状に形成したことを特徴とする、請求項１〜１２のいずれかに記載のミスト発生器。
【請求項１４】
環状衝突壁を半径方向から見て鋸歯状に形成したことを特徴とする、請求項１〜１２のいずれかに記載のミスト発生器。
【請求項１５】
環状衝突壁を半径方向から見て櫛歯状に形成したことを特徴とする、請求項１〜１２のいずれかに記載のミスト発生器。
【請求項１６】
環状衝突壁を半径方向から見て稲妻形状に形成したことを特徴とする、請求項１〜１２のいずれかに記載のミスト発生器。
【請求項１７】
環状衝突壁を半径方向から見て波形状に形成したことを特徴とする、請求項１〜１２のいずれかに記載のミスト発生器。
【発明の詳細な説明】
【技術分野】
【０００１】
本発明は、液体を微細化してミストを発生させるミスト発生器に関する。
【背景技術】
【０００２】
近年、肌の保湿やマイナスイオンによるリラクゼーション効果あるいは浴室をサウナルームとして使用する等、様々な目的でミスト（本願でいうミストとは、蒸気、微細液滴、蒸気と微細液滴の混在状態を含む概念）が利用されており、このミストを効率良く発生させるための技術も種々提案されている。
【０００３】
従来のミスト発生器として、例えば、回転板の中心部に供給された液体を遠心力によって薄膜状に放散し、回転板の径方向外方に配設された衝突板に衝突させることにより微細化してミストを発生させるものがある（例えば、特許文献１参照）。
【特許文献１】特許第２７６６４６３号公報
【発明の開示】
【発明が解決しようとする課題】
【０００４】
このようなミスト発生器は、回転板の遠心力で液体を放散し衝突板に衝突させてミストを発生させるものであるが、その衝突において液体がミスト化する割合は低く、ミスト化効率が低いという課題があった。
【０００５】
本発明は、上記課題に鑑みてなされたものであり、液体を効率良くミスト化できるミスト発生器を提供することを目的としている。
【課題を解決するための手段】
【０００６】
本発明のミスト発生器は上記目的を達成するために、遠心力によって液体を放散する回転板の外周側に複数の環状衝突壁を同心円状に配し、前記回転板から放散された液体を前記複数の環状衝突壁に段階的に衝突させることにより液体をミスト化することを特徴とするものである。
【０００７】
また、第２の課題解決手段は、環状衝突壁が回転板とともに回転することを特徴とするものである。
【０００８】
また、第３の課題解決手段は、複数の環状衝突壁の各々を連結する連結リブを放射状に複数備えたことを特徴とするものである。
【０００９】
また、第４の課題解決手段は、複数の環状衝突壁および回転板の各々を連結する連結リブを放射状に複数備えたことを特徴とするものである。
【００１０】
また、第５の課題解決手段は、連結リブの本数が径外方向に向かうに従って多くなるように構成したことを特徴とするものである。
【００１１】
また、第６の課題解決手段は、連結リブを半径方向において一直線上にならないように配設したことを特徴とするものである。
【００１２】
また、第７の課題解決手段は、連結リブを回転方向から見て凹凸状に形成したことを特徴とするものである。
【００１３】
また、第８の課題解決手段は、連結リブを回転方向から見て鋸歯状に形成したことを特徴とするものである。
【００１４】
また、第９の課題解決手段は、連結リブを回転方向から見て櫛歯状に形成したことを特徴とするものである。
【００１５】
また、第１０の課題解決手段は、連結リブを回転方向から見て稲妻形状に形成したことを特徴とするものである。
【００１６】
また、第１１の課題解決手段は、連結リブを回転方向から見て波形状に形成したことを特徴とするものである。
【００１７】
また、第１２の課題解決手段は、環状衝突壁および回転板を軸方向に複数備えたことを特徴とするものである。
【００１８】
また、第１３の課題解決手段は、環状衝突壁を半径方向から見て凹凸状に形成したことを特徴とするものである。
【００１９】
また、第１４の課題解決手段は、環状衝突壁を半径方向から見て鋸歯状に形成したことを特徴とするものである。
【００２０】
また、第１５の課題解決手段は、環状衝突壁を半径方向から見て櫛歯状に形成したことを特徴とするものである。
【００２１】
また、第１６の課題解決手段は、環状衝突壁を半径方向から見て稲妻形状に形成したことを特徴とするものである。
【００２２】
また、第１７の課題解決手段は、環状衝突壁を半径方向から見て波形状に形成したことを特徴とするものである。
【発明の効果】
【００２３】
本発明によれば、回転板から放散された液体を、同心円状に配設された環状衝突壁に段階的に衝突させることにより、衝突回数を増やしてミスト化を促進し、効率良くミストを発生することができるという効果のあるミスト発生器を提供できる。
【００２４】
また、請求項２記載の発明によれば、環状衝突壁を回転板とともに回転させることにより、環状衝突壁に衝突した液体に更に遠心力が加わり、径外方向に放散した液体が次の環状衝突壁に衝突する際の衝突エネルギーが増加してミスト化を促進することができるという効果のあるミスト発生器を提供できる。
【００２５】
また、請求項３記載の発明によれば、複数の環状衝突壁の各々を連結する連結リブを放射状に複数備えたことにより、環状衝突壁に衝突して飛散した液体を更に連結リブにも衝突させてミスト化を促進することができるという効果のあるミスト発生器を提供できる。
【００２６】
また、請求項４記載の発明によれば、複数の環状衝突壁および回転板の各々を連結する連結リブを放射状に複数備えたことにより、環状衝突壁に衝突して飛散した液体に回転板とともに回転する連結リブを衝突させてミスト化を促進することができるという効果のあるミスト発生器を提供できる。
【００２７】
また、請求項５記載の発明によれば、連結リブの本数が径外方向に向かうに従って多くなるように構成したことにより、液体飛散面積の大きい径外方向における連結リブの衝突確率を確保してミスト化効率の低下を抑制することができるという効果のあるミスト発生器を提供できる。
【００２８】
また、請求項６記載の発明によれば、連結リブを半径方向において一直線上にならないように配設したことにより、液体が連結リブに沿って径外方向に移動してミスト化が阻害される現象を回避してミスト化効率の低下を抑制することができるという効果のあるミスト発生器を提供できる。
【００２９】
また、請求項７記載の発明によれば、連結リブを回転方向から見て凹凸状に形成したことにより、連結リブの衝突時における液体破砕の寄与度が大きい角部分が増加しミスト化を促進することができるという効果のあるミスト発生器を提供できる。
【００３０】
また、請求項８記載の発明によれば、連結リブを回転方向から見て鋸歯状に形成したことにより、連結リブの衝突時における液体破砕の寄与度が大きい角部分が増加しミスト化を促進することができるという効果のあるミスト発生器を提供できる。
【００３１】
また、請求項９記載の発明によれば、連結リブを回転方向から見て櫛歯状に形成したことにより、連結リブの衝突時における液体破砕の寄与度が大きい角部分が増加しミスト化を促進することができるという効果のあるミスト発生器を提供できる。
【００３２】
また、請求項１０記載の発明によれば、連結リブを回転方向から見て稲妻形状に形成したことにより、連結リブの衝突時における液体破砕の寄与度が大きい角部分が増加しミスト化を促進することができるという効果のあるミスト発生器を提供できる。
【００３３】
また、請求項１１記載の発明によれば、連結リブを回転方向から見て波形状に形成したことにより、連結リブの衝突時における液体破砕の寄与度が大きい角部分が増加しミスト化を促進することができるという効果のあるミスト発生器を提供できる。
【００３４】
また、請求項１２記載の発明によれば、環状衝突壁および回転板を軸方向に複数備えたことにより、ミスト発生箇所を増やしてミスト発生量を増加させることができるという効果のあるミスト発生器を提供できる。
【００３５】
また、請求項１３記載の発明によれば、環状衝突壁を半径方向から見て凹凸状に形成したことにより、環状衝突壁の衝突時における液体破砕の寄与度が大きい角部分が増加しミスト化を促進することができるという効果のあるミスト発生器を提供できる。
【００３６】
また、請求項１４記載の発明によれば、環状衝突壁を半径方向から見て鋸歯状に形成したことにより、環状衝突壁の衝突時における液体破砕の寄与度が大きい角部分が増加しミスト化を促進することができるという効果のあるミスト発生器を提供できる。
【００３７】
また、請求項１５記載の発明によれば、環状衝突壁を半径方向から見て櫛歯状に形成したことにより、環状衝突壁の衝突時における液体破砕の寄与度が大きい角部分が増加しミスト化を促進することができるという効果のあるミスト発生器を提供できる。
【００３８】
また、請求項１６記載の発明によれば、環状衝突壁を半径方向から見て稲妻形状に形成したことにより、環状衝突壁の衝突時における液体破砕の寄与度が大きい角部分が増加しミスト化を促進することができるという効果のあるミスト発生器を提供できる。
【００３９】
また、請求項１７記載の発明によれば、環状衝突壁を半径方向から見て波形状に形成したことにより、環状衝突壁の衝突時における液体破砕の寄与度が大きい角部分が増加しミスト化を促進することができるという効果のあるミスト発生器を提供できる。
【発明を実施するための最良の形態】
【００４０】
本発明の請求項１記載の発明は、回転板から放散された液体を、同心円状に配設された環状衝突壁に段階的に衝突させることによりミストを発生させるものであり、径外方向に放散された液体が同心円状の環状衝突壁に段階的に衝突することにより衝突回数が増加してミスト化が促進されるという作用を有する。
【００４１】
また、請求項２記載の発明は、環状衝突壁を回転板とともに回転させるものであり、環状衝突壁に衝突した液体に更に遠心力が加わり、径外方向に放散した液体が次の環状衝突壁に衝突する際の衝突エネルギーが増加してミスト化が促進されるという作用を有する。
【００４２】
また、請求項３記載の発明は、複数の環状衝突壁の各々を連結する連結リブを放射状に複数備えたものであり、環状衝突壁に衝突して飛散した液体が更に連結リブにも衝突してミスト化が促進されるという作用を有する。
【００４３】
また、請求項４記載の発明は、複数の環状衝突壁および回転板の各々を連結する連結リブを放射状に複数備えたものであり、環状衝突壁に衝突して飛散した液体に回転板とともに回転する連結リブが衝突してミスト化が促進されるという作用を有する。
【００４４】
また、請求項５記載の発明は、連結リブの本数が径外方向に向かうに従って多くなるように構成したものであり、液体飛散面積の大きい径外方向における連結リブの衝突確率が確保されてミスト化効率の低下が抑制されるという作用を有する。
【００４５】
また、請求項６記載の発明は、連結リブを半径方向において一直線上にならないように配設したものであり、液体が連結リブに沿って径外方向に移動してミスト化が阻害される現象が回避されてミスト化効率の低下が抑制されるという作用を有する。
【００４６】
また、請求項７記載の発明は、連結リブを回転方向から見て凹凸状に形成したものであり、連結リブの衝突時における液体破砕の寄与度が大きい角部分が増えることによりミスト化が促進されるという作用を有する。
【００４７】
また、請求項８記載の発明は、連結リブを回転方向から見て鋸歯状に形成したものであり、連結リブの衝突時における液体破砕の寄与度が大きい角部分が増えることによりミスト化が促進されるという作用を有する。
【００４８】
また、請求項９記載の発明は、連結リブを回転方向から見て櫛歯状に形成したものであり、連結リブの衝突時における液体破砕の寄与度が大きい角部分が増えることによりミスト化が促進されるという作用を有する。
【００４９】
また、請求項１０記載の発明は、連結リブを回転方向から見て稲妻形状に形成したものであり、連結リブの衝突時における液体破砕の寄与度が大きい角部分が増えることによりミスト化が促進されるという作用を有する。
【００５０】
また、請求項１１記載の発明は、連結リブを回転方向から見て波形状に形成したものであり、連結リブの衝突時における液体破砕の寄与度が大きい角部分が増えることによりミスト化が促進されるという作用を有する。
【００５１】
また、請求項１２記載の発明は、環状衝突壁および回転板を軸方向に複数備えたものであり、ミスト発生箇所が増えることによりミスト発生量が増加するという作用を有する。
【００５２】
また、請求項１３記載の発明は、環状衝突壁を半径方向から見て凹凸状に形成したものであり、環状衝突壁の衝突時における液体破砕の寄与度が大きい角部分が増えることによりミスト化が促進されるという作用を有する。
【００５３】
また、請求項１４記載の発明は、環状衝突壁を半径方向から見て鋸歯状に形成したものであり、環状衝突壁の衝突時における液体破砕の寄与度が大きい角部分が増えることによりミスト化が促進されるという作用を有する。
【００５４】
また、請求項１５記載の発明は、環状衝突壁を半径方向から見て櫛歯状に形成したものであり、環状衝突壁の衝突時における液体破砕の寄与度が大きい角部分が増えることによりミスト化が促進されるという作用を有する。
【００５５】
また、請求項１６記載の発明は、環状衝突壁を半径方向から見て稲妻形状に形成したものであり、環状衝突壁の衝突時における液体破砕の寄与度が大きい角部分が増えることによりミスト化が促進されるという作用を有する。
【００５６】
また、請求項１７記載の発明は、環状衝突壁を半径方向から見て波形状に形成したものであり、環状衝突壁の衝突時における液体破砕の寄与度が大きい角部分が増えることによりミスト化が促進されるという作用を有する。
【００５７】
以下、本発明の実施の形態について図面を参照しながら説明する。
【００５８】
（実施の形態１）
本発明の実施の形態１のミスト発生器を以下、説明する。図１は本発明の実施の形態１のミスト発生器を搭載した加湿装置の概略断面図であり、図に示すように、加湿装置の本体１内部に中空円筒状で底面を逆円錐状に形成されたミスト搬送ダクト２が配設されており、このミスト搬送ダクト２の逆円錐状底面の中心には排水口３が開口している。また、ミスト搬送ダクト２の内部には、中空円筒状のミスト発生筒４がミスト搬送ダクト２と略同心円状に配設されている。このミスト発生筒４の下端はミスト搬送ダクト２との空気流通が可能なように空間が設けられており、ミスト発生筒４の他端は、本体１外郭に開口した吸込口５と連通している。
【００５９】
また、本体１内部には吸込側がミスト搬送ダクト２の上方開口端と連通するようにファン６が配設されており、ファン６の吹出側は、本体１天面に開口した吹出口７と連通している。したがってファン６を運転すると吸込口５から対象空気が吸い込まれ、ミスト発生筒４内部を通ってミスト搬送ダクト２とミスト発生筒４の間の空間を流れ、吹出口７から本体１外部に排出される送風動作が行われる。
【００６０】
また、ミスト発生筒４の内部には円盤状の回転板８が配設されており、この回転板８の上方に駆動モータ９が配設されている。この駆動モータ９の駆動軸は回転板８の中心部に連結されており、駆動モータ９を駆動することにより回転板８が回転するように構成されている。さらに回転板８および駆動モータ９は、回転板８を回転させた時の回転面がミスト発生筒４の半径方向に対し平行となる位置関係に設定されている。さらにミスト発生筒４の内部で且つ回転板８の径外方向には、詳細後述する複数の環状衝突壁１３が配設されている。
【００６１】
また、本体１内には回転板８の回転面上に水を供給するための給水管１０が設けられており、この給水管１０は、一端を回転板８の上方に開口し、他端は給水ポンプ１１の吐出側に接続されている。給水ポンプ１１の吸入側は、本体１内底部に配設された給水タンク１２内に開口しており、この給水タンク１２の上方にミスト搬送ダクト２の排水口３が開口している。したがって給水タンク１２内に貯水した状態で給水ポンプ１１を運転すると、給水タンク内１２の水が給水ポンプ１１により汲み上げられて給水管１０を通じ回転板８に供給される。この状態で駆動モータ９により回転板８を回転させると、回転面上に給水された水が遠心力により径外方向に放出されて複数の環状衝突壁１３に衝突することになる。そして環状衝突壁１３から更に径外方向に放出された水滴は、ミスト発生筒４の内壁面に付着し、壁面をつたって下方に滴下して排水口３から給水タンク１２に回収されることになる。
【００６２】
次に環状衝突壁１３の詳細について次に説明する。図２（ａ）は環状衝突壁１３の概略拡大図、図２（ｂ）、図２（ｃ）、図２（ｄ）、図２（ｅ）および図２（ｆ）は、図２（ａ）のＡ−Ａ’断面の断面形状パターンを示す概略断面図である。図２（ａ）に示すように、回転板８の半径方向外周側に円環形状の環状衝突壁１３が回転板８と同心円状に多層に配設されている、この環状衝突壁１３の半径方向から見た断面、すなわちＡ−Ａ’断面形状は、図２（ｂ）に示すような凹凸状、図２（ｃ）に示すような櫛歯状、図２（ｄ）に示すような鋸歯状、図２（ｅ）に示すような稲妻形状、図２（ｆ）に示すような波形状になっている。このような形状とすることにより、回転板８の径外方向に対する角部分が増加することになる。この角部においては、回転板８から径外方向に放散される液体に対する接触部が小さく、角に衝突した液体が速度を保ったまま飛散しやすいため、角部において効果的に液体の微細化が図られてミスト化が促進させることになる。
【００６３】
また、これら複数の環状衝突壁１３同士の少なくとも内側からの数個は、回転板８の回転軸を中心とし、かつ放射状に形成された連結リブ１４によって連結されている。そして図２（ａ）に示すように隣り合う複数の環状衝突壁１３の各々を連結する連結リブ１４は半径方向において同一直線上には形成されておらず、さらに回転板８から径外側に向かうに従って連結リブ１４の本数を増やし網目状となるように構成されている。このような構成とすることにより、回転板８から放散されて環状衝突壁１３に接触した水が連結リブ１４に沿って径外方向に移動しミスト化が阻害されること抑制することができる。
【００６４】
次に連結リブ１４の詳細について説明する。図３（ａ）、図３（ｂ）、図３（ｃ）、図３（ｄ）および図３（ｅ）は、連結リブの軸方向断面の断面形状パターンを示す概略断面図である。連結リブ１４も環状衝突壁１３と同様に衝突した液体を微細化する角部分が多い形状に構成することが望ましい。すなわち、図３（ａ）に示す凹凸状、図３（ｂ）に示す櫛歯状、図３（ｃ）に示す鋸歯状、図３（ｄ）に示す稲妻形状、図３（ｅ）に示す波形状とすることにより、回転板８の回転方向に対する角部分が増加することになる。この角部においては、回転板８と環状衝突壁１３の間および複数の環状衝突壁１３間に放散された液体に対する接触部が小さく、角に衝突した液体が速度を保ったまま飛散しやすいため、角部において効果的に液体の微細化が図られてミスト化が促進させることになる。
【００６５】
次にミストの発生原理について詳細に説明する。図４はミスト発生筒４内における作用の概要模式図である。図１で説明したように給水ポンプ１１を動作させると、給水ポンプ１１によって給水タンク１２から水が汲み上げられて給水管１０に供給される。この給水管１０の出口は、回転板８の上方かつ中心付近に配置されており、給水タンク１２から汲み上げられた水を回転板８の回転軸近傍付近に供給するように構成されている。ここで駆動モータ９を駆動して回転板８を回転させると、供給された水が遠心力により回転板８の外周縁から接線方向に放散され、環状衝突壁１３に段階的に衝突していく。すなわち、図４に示した点１５から放散される水は矢符１６に示す方向に飛散する。矢符１６方向に飛散した水滴は、回転板８とともに回転する最も内側の環状衝突壁１３に衝突する。この衝突により水滴は破砕されて微細なミストが生成する。
【００６６】
環状衝突壁１３は連結リブ１４により回転板８とともに回転しているので最内の環状衝突壁１３に衝突した水滴に対して更なる遠心力が加わる。この遠心力により水滴のもつ径外方向に対する速度がさらに増速されて矢符１７に示すように最内の環状衝突壁１３から放散され、次の径外側の環状衝突壁１３に衝突して微細化する。すなわち、回転板８と環状衝突壁１３がともに回転することにより、環状衝突壁１３から放散する水滴に遠心力を加え、次の環状衝突壁１３に衝突させる際の衝突エネルギーを増加させて微細化を促進させることができる。
【００６７】
また、衝突によって微細なミストとして空気中に放散されず環状衝突壁１３に残った残水は、環状衝突壁１３の回転による遠心力を受けて、矢符１８に示すように環状衝突壁１３の外周縁より再び径外方向に放散される。このようにして再び環状衝突壁１３から放散された新たな水滴と、回転板８から放散されて環状衝突壁１３に衝突しなかった水滴のうちの一部と、最内の環状衝突壁１３に衝突して破砕された水滴のうちの一部が、さらに外周側にある次の環状衝突壁１３に衝突して破砕されて微細化し、ミストが発生する。
【００６８】
加えて、環状衝突壁１３に衝突して飛散した水滴に対して、回転している連結リブ１４が衝突し、複数の環状衝突壁１３間中に飛散した水滴を微細化する作用も行われる。
【００６９】
このような作用が複数の環状衝突壁１３の各々において、その径外方向に向かって繰り返し行われ、回転している環状衝突壁１３のうちの最も外側の環状衝突壁１３まで繰り返されることになる。最外の環状衝突壁１３から放散された水滴は矢符１９に示すようにミスト発生筒４の内壁に衝突してミスト化し、それでもミスト化しなかった残水はミスト発生筒４の内壁に沿って滴下し、排水口３から給水タンク１２に回収される。
【００７０】
以上述べた動作、作用により、回転板８から放散される水滴は衝突およびミスト化を繰り返し、さらに衝突の度に環状衝突壁１３の回転による遠心力を受けて加速して次の環状衝突壁１３に衝突しミスト化する、すなわち、回転板８から放散される水滴を段階的に環状衝突壁１３に衝突させることによってミストを発生させることができる。
【００７１】
このように複数の環状衝突壁１３での衝突によりミストが発生している状態で、ファン６を運転すると、図１の実線に示すように、吸込口５から本体１外の空気がミスト発生筒４内に導入される。ミスト発生筒４内に流入した空気は、複数の環状衝突壁１３の各々の間隙を鉛直下向きに通過してミストと接触して混合する。この混合空気は、環状衝突壁１３の風下側となる下方に移動し、この過程においても更にミストと空気の接触が図られる。このようにミスト発生筒４内における複数の環状衝突壁の間隙部およびその風下側においてミストと空気が接触し、この気液接触過程においてミストが気化して対象空気が加湿されることになる。加えて、環状衝突壁１３は回転板８とともに回転しているので、複数の環状衝突壁１３間の間隙部分を通過する対象空気は旋回作用を受ける。この旋回作用によりミストと対象空気の接触時間が増加し、気液接触効率が高められるので、加湿効率が向上する。
【００７２】
ミスト発生筒４を通過した空気は、ミスト搬送ダクト２の底面付近において図１の矢符に示すように流れの向きを下方から上方に急激に変えて、ミスト搬送ダクト２とミスト発生筒４の間の空間を通りファン６に吸い込まれて吹出口７から本体１外に排出される。このように本加湿装置はミスト発生筒４内においてミストを発生させ、吸込口５から導入した空気にミストを気化させて吹出口７から排出することにより加湿動作を行うものである。
【００７３】
図５は回転板８および環状衝突壁１３を軸方向に複数、例えば３段備えた場合の概略断面図である。図に示すように最上段および中段の回転板８には、供給水を下方に流通させるための貫通穴２０が開口している。給水管１０を通じて最上段の回転板８に給水すると、その給水の一部は、回転板８の回転により径外方向に放散し、残りは貫通穴２０を通って下方に位置する中段の回転板８に滴下する。滴下した水の一部は同様に回転板８の回転により径外方向に放散し、残りは、貫通穴２０を通って最下段の回転板８に滴下する。最下段の回転板８に滴下した水は全量、回転により径外方向に放散する。上段、中段、下段の各々の回転板８から放散された水滴は、各回転板８と連結されている環状衝突壁１３に衝突し前述の作用によりミスト化が図られる。このように回転板８および環状衝突壁１３を軸方向に複数備え、その各々で給水のミスト化を行うのでミスト発生量が増加する。
【００７４】
さらにミスト発生筒４内に供給された空気は、軸方向に多段に構成された環状衝突壁１３の間隙部を軸方向に段階的に通過していくので、気液接触部および気液接触時間が増加することになり、加湿性能の向上も図られることになる。
【００７５】
以上のような構成、動作および作用により、本実施形態におけるミスト発生器は、回転板８から遠心力によって液体を径外方向に放散し、回転板８の外周側に同心円状に配設された複数の環状衝突壁１３に段階的に衝突させることにより効率的に液体をミスト化することができるものである。
【００７６】
以上、説明した内容は本発明を実施するための一例に過ぎず、本発明は上記実施の形態に限定されるものではない。
【００７７】
例えば、環状衝突壁１３の形状を半径方向から見て凹凸状としたが、回転によって放散される水滴を段階的に衝突させ、衝突時における破砕の寄与度の大きい角部分が増加するという作用を有する形状であれば他の形状でもよい。
【００７８】
同様に、連結リブ１４の形状も回転によって放散される水滴を段階的に衝突させ、衝突時における破砕の寄与度が大きい角部分が増加するという作用を有する形状であれば他の形状でも良い。
【００７９】
また、上記に述べた環状衝突壁１３および連結リブ１４の凹凸状、櫛歯状、鋸歯状、稲妻形状、波形状の形成間隔は、径外方向に向かうにしたがって狭く形成する、すなわち、最内周側の間隔を最も広く、最外周側の間隔を最も狭く形成することが望ましい。このような形状にすると、液体の放散面積の大きい径外方向における水滴の環状衝突壁１３および連結リブ１４への衝突確率の低下が抑制されるという作用が働き、ミスト化効率が向上し、加湿能力も向上させる効果が得られる。
【００８０】
また、上記実施形態では、複数の環状衝突壁１３がすべて回転する場合を示したが、必ずしも環状衝突壁１３を回転させる必要はない。例えば、複数の環状衝突壁１３のうち、外側から少なくとも１つ以上の環状衝突壁１３をミスト発生筒４の内壁と一体化させて固定し、内周側の残りを回転板８と一体に回転させるように構成しても良く、また、環状衝突壁１３の全てを回転板８と隔離して固定するように構成しても良い。
【００８１】
なお、上記構成において、回転板８および環状衝突壁１３がミスト発生筒４内のどの位置に配設されているかについて言及していないが、本体１のサイズ等の制約に対して許される限り、環状衝突壁１３の風下側にミスト発生筒４を延長するように配設する、つまり、回転板８よりも風下側においてミストと空気が気液接触して気化できる空間を大きく設けるほうが、加湿能力が向上するので望ましい。
【００８２】
また、環状衝突壁１３の最外周部分とミスト発生筒４の内壁とは、ミスト発生筒４を通過する空気が、複数の環状衝突壁１３の各間隙部分をほとんど漏れなく通過するように十分狭くなっていることが望ましい。例えば、複数の環状衝突壁１３がすべて回転する場合には、最も外側の環状衝突壁１３の外周縁とミスト発生筒４の内壁との距離が、回転時に環状衝突壁１３が内壁と接触しない程度、例えば５ミリ前後の隙間に設定することが望ましい。また、複数の環状衝突壁１３のうち、外側から少なくとも１つ以上の環状衝突壁１３が固定されている場合、もしくは外側から１つ以上の環状衝突壁１３がミスト発生筒４の内壁と一体化している場合には、回転する環状衝突壁１３のうち最も外周側の環状衝突壁１３と、回転しない環状衝突壁１３のうち最も内周側の環状衝突壁１３との間隙を回転時に環状衝突壁１３同士が接触しない程度に例えば５ミリ前後の間隔に設定するのが望ましい。
【産業上の利用可能性】
【００８３】
以上のように本発明にかかるミスト発生器は、液体を効率良くミスト化できるものであり、実施例に示した可搬型加湿機のみならず、加湿空気清浄機、浴室サウナ装置、マイナスイオンによるリラクゼーション機器、ミストによる冷却装置、美顔器、噴霧器、洗浄器などにも適用することができる。また、ミスト化する液体として、湯水の他に油、溶剤、洗剤等の各種液体などにも適用することができる。
【図面の簡単な説明】
【００８４】
【図１】本発明の実施の形態１のミスト発生器を搭載した加湿装置の概略断面図
【図２】同環状衝突壁の概略拡大図および環状衝突壁の断面形状パターンを示す概略断面図（（ａ）同環状衝突壁の概略拡大図、（ｂ）同図２（ａ）におけるＡ−Ａ’部分が凹凸状である場合の断面形状図、（ｃ）同Ａ−Ａ’部分が櫛歯状である場合の拡大図、（ｄ）同Ａ−Ａ’部分が鋸歯状である場合の拡大図、（ｅ）同Ａ−Ａ’部分が稲妻形状である場合の拡大図、（ｆ）同Ａ−Ａ’部分が波形状である場合の拡大図）
【図３】同連結リブの軸方向断面の断面形状パターンを示す概略断面図（（ａ）同連結リブが凹凸状である場合の概略図、（ｂ）同連結リブが鋸歯状である場合の概略図、（ｃ）同連結リブが櫛歯状である場合の概略図、（ｄ）同連結リブが稲妻形状である場合の概略図、（ｅ）同連結リブが波形状である場合の概略図）
【図４】同ミスト発生筒内における作用の概要模式図
【図５】同回転板および環状衝突壁を軸方向に複数備えた場合の概略断面図
【符号の説明】
【００８５】
８    回転板
１３  環状衝突壁
１４  連結リブ
【図１】
2009078245.tif 000003
【図２】
2009078245.tif 000004
【図３】
2009078245.tif 000005
【図４】
2009078245.tif 000006
【図５】
2009078245.tif 000007